(57)【要約】【課題】簡単な構成により開閉部材を開位置に確実に固定することができる照明器具を提供することを課題とする。【解決手段】実施形態に係る照明器具は、支柱の上端に一端を固定した器具本体と、器具本体の上面側を開閉可能に設けられ支柱の上端側を覆う開閉部材と、この開閉部材の支柱から離間した端部を器具本体に対して回動自在に接続した接続部材と、支柱に対して接続部材の反対側で器具本体に設けられ、開閉部材が所定角度を超えて開かないように開閉部材に当接して開方向の回動を規制する規制部材と、所定角度で開かれた開閉部材が不用意に閉じないように開閉部材に当接して閉方向の回動を禁止する第１位置と開閉部材が閉じることを許容する第２位置との間で移動可能に器具本体に設けられた係止部材と、を有する。【選択図】      図１
2017045526.tif 000002
【特許請求の範囲】
【請求項１】
支柱の上端に一端を固定して略水平方向に延設された器具本体と；
この器具本体の上面側を開閉可能に設けられ少なくとも上記支柱の上端側を覆う開閉部材と；
この開閉部材の上記支柱から離間した上記器具本体の他端側の端部を該器具本体に対して回動自在に接続した接続部材と；
上記支柱に対して上記接続部材の反対側で上記器具本体に設けられ、上記開閉部材が所定角度を超えて開かないように該開閉部材に当接して開方向の回動を規制する規制部材と；
上記所定角度で開かれた上記開閉部材が不用意に閉じないように該開閉部材に当接して閉方向の回動を禁止する第１位置と上記開閉部材が閉じることを許容する第２位置との間で移動可能に上記器具本体に設けられた係止部材と；
を有する照明器具。
【請求項２】
上記係止部材は、上記器具本体の上記上面に沿って上記第１位置と第２位置との間でスライド可能に設けられ、上記第１位置に配置された状態で上記所定角度から閉じようとする上記開閉部材に当接して上記閉方向の回動を禁止し、上記第２位置に配置された状態で回動途中の上記開閉部材に干渉しない位置に退避するストッパである、請求項１の照明器具。
【請求項３】
上記ストッパは、上記第１位置に配置された状態で、該ストッパに接触する上記開閉部材の接触部位より幅広である、請求項２の照明器具。
【請求項４】
上記規制部材は、上記器具本体の上記上面から凸設された突起である、請求項１の照明器具。
【発明の詳細な説明】
【技術分野】
【０００１】
本発明の実施形態は、高速道路などに設置される道路灯のような照明器具に関する。
【背景技術】
【０００２】
高速道路などに設置される道路灯のように高所から下方を照らす照明器具は、保守点検などの作業をできるだけ容易且つ安全に実施するため、器具本体の上面カバー（開閉部材）を開いた状態に固定する機構を備えている。このような固定機構を設けることで、作業中に不用意に上面カバーが閉じてしまう不具合を防止でき、作業性を向上させることができる。
【先行技術文献】
【特許文献】
【０００３】
【特許文献１】特開２０００−３２２９０３号公報
【特許文献２】特開２００７−４２５４６号公報
【発明の概要】
【発明が解決しようとする課題】
【０００４】
しかし、従来の固定機構は、構造が複雑で、その分、器具の製造コストが高くなるとともに、上面カバーを開位置に確実に固定することが難しかった。
【０００５】
よって、簡単な構成により上面カバーを開位置に確実に固定することができる照明器具の開発が望まれている。
【課題を解決するための手段】
【０００６】
実施形態に係る照明器具は、支柱の上端に一端を固定して略水平方向に延設された器具本体と、この器具本体の上面側を開閉可能に設けられ少なくとも上記支柱の上端側を覆う開閉部材と、この開閉部材の上記支柱から離間した上記器具本体の他端側の端部を該器具本体に対して回動自在に接続した接続部材と、上記支柱に対して上記接続部材の反対側で上記器具本体に設けられ、上記開閉部材が所定角度を超えて開かないように該開閉部材に当接して開方向の回動を規制する規制部材と、上記所定角度で開かれた上記開閉部材が不用意に閉じないように該開閉部材に当接して閉方向の回動を禁止する第１位置と上記開閉部材が閉じることを許容する第２位置との間で移動可能に上記器具本体に設けられた係止部材と、を有する。
【発明の効果】
【０００７】
本発明によれば、係止部材を第２位置から第１位置へ移動させるだけの簡単な構成により、所定角度で開かれた開閉部材が不用意に閉じないように確実に固定することができ、メンテナンス時における作業性を向上させることができる。
【図面の簡単な説明】
【０００８】
【図１】図１は、実施形態に係る照明器具の一例である道路灯の要部を示す外観斜視図である。
【図２】図２は、図１の道路灯の上面側の構成を示す斜視図である。
【図３】図３は、図２の上面カバーの接続部分を拡大した部分拡大斜視図である。
【図４】図４は、図３とともにストッパの機能を説明するための斜視図である。
【図５】図５は、図３および図４のストッパによって上面カバーを開位置に固定した状態を示す側面図である。
【図６】図６は、図５の部分拡大図である。
【図７】図７は、上面カバーを開位置に固定する機構の変形例を示す側面図である。
【発明を実施するための形態】
【０００９】
以下、図面を参照しながら実施形態について詳細に説明する。  
図１は、実施形態に係る照明器具の一例である道路灯１００の要部を示す外観斜視図である。この道路灯１００は、例えば、高速道路に設置され、比較的高い場所から道路を照明する。
【００１０】
道路灯１００は、支柱２の上端に片持ち梁状態で固設した器具本体１０を有する。すなわち、器具本体１０は、支柱２の上端に一端を固定して他端側に向けて略水平方向に延設されている。器具本体１０は、その下面側に、略矩形の透明或いは半透明の照明窓１１を有する。器具本体１０の内部には、図示しない複数個のＬＥＤ光源、反射板、点灯回路などが収容配置されている。ＬＥＤ光源を点灯させると、照明窓１１を介して照明光が射出される。
【００１１】
図２は、器具本体１０の上面側を示す斜視図である。器具本体１０の上面側には、支柱２の上端（ここでは図示せず）を器具本体１０に固設するためのアダプタ３（図５参照）を取り付けるための凹所１２が設けられている。すなわち、凹所１２は、器具本体１０の長手方向の一端側に片寄った位置に設けられている。凹所１２の底には、器具本体１０の下面側に貫通した図示しない取付孔が設けられている。支柱２の上端は、この取付孔を通して、器具本体１０の下面側から凹所１２内に挿通される。
【００１２】
アダプタ３は、器具本体１０の上面側から取り付け可能であり、図示しない複数本のネジにより、傾斜した姿勢で凹所１２内に締結固設される。このため、アダプタ３を介して支柱２の上端に器具本体１０を取り付けると、照明窓１１が支柱２に対して鈍角となり、照明光が路面に対して斜めに照射されることになる。なお、支柱２の上端は、アダプタ３に挿入した状態で、図示しない複数本のネジにより、アダプタ３の外側からネジ留め固定される。アダプタ３は、支柱２の上端に当接する底部を有し、この底部が支柱２の上端に係合する。
【００１３】
また、器具本体１０の上面１０ａの略中央には、支柱２の中を通って配線される電源側のケーブル（図示せず）とＬＥＤ光源側（点灯回路側）のケーブル（図示せず）を接続するためのコネクタユニット４が複数本のネジ４ａにより固設されている。電源側のケーブルはアダプタ３の図示しない配線孔を通してコネクタユニット４へ導かれ、ＬＥＤ光源側のケーブルは器具本体１０を貫通した図示しない配線孔を通してコネクタユニット４へ導かれる。各ケーブルの端部は、図示しないネジにより、コネクタユニット４の所定の端子にそれぞれ接続される。
【００１４】
さらに、器具本体１０の上面１０ａには、凹所１２に取り付けたアダプタ３（すなわち支柱２の上端）とコネクタユニット４を覆う上面カバー５（開閉部材）が開閉可能に取り付けられている。上面カバー５は、ドーム状に膨出した形状を有し、上面１０ａを閉じる閉位置に配置した状態（図示せず）で、器具本体１０の上面１０ａより上方に僅かに突出したアダプタ３およびコネクタユニット４を収容可能となっている。上面カバー５は、閉位置に回動した状態で、図示しない複数本のネジにより、器具本体１０の上面１０ａに締結固定される。
【００１５】
図３および図４は、上面カバー５を器具本体１０の上面１０ａに対して回動可能に接続した接続部分の拡大図である。上面カバー５は、器具本体１０の上面１０ａに対して、ヒンジ６（接続部材）を介して可動可能に接続される。ヒンジ６は、上面カバー５の支柱２から離間した側、すなわち器具本体１０の他端側の端部を器具本体１０の上面１０ａに対して回動自在に接続する。ヒンジ６の回動軸６ａは、器具本体１０の長手方向と直交する方向に延びている。
【００１６】
図５は、上面カバー５を所定角度まで開いた状態を示す側面図である。器具本体１０の上面１０ａには、上面カバー５が所定角度を超えて開かないように上面カバー５の当接面５ａに当接して開方向の回動を規制するための突起７（規制部材）が突設されている。突起７は、支柱２（アダプタ３）に対してヒンジ６の反対側、すなわちヒンジ６より器具本体１０の他端側で、上面１０ａから一体に上方に突設されている。
【００１７】
そして、上面カバー５を図示の状態（所定角度）まで開いたとき、上面カバー５の回動の基端部にある当接面５ａに突起７の上端が当接し、上面カバー５の開方向への回動が規制されるようになっている。この状態を図５に示す。本実施形態では、上面カバー５が器具本体１０の上面１０ａに対して９０°以上開かないように、突起７の突出高さを設計した。突起７の数や形状は任意に設定可能である。
【００１８】
本実施形態では、器具本体１０の一端側を支柱２に固定するため、上面カバー５を器具本体１０に回動可能に接続するヒンジ６を器具本体１０の他端側に設けた。また、同じ理由で、上面カバー５の開方向への回動を規制するための突起７を器具本体１０の他端側に設けた。つまり、支柱２を取り付けるためのアダプタ３を収容する凹所１２よりさらに一端側にこれらの構成を設けるスペースを確保することが難しいため、ヒンジ６および突起７をコネクタユニット４より器具本体１０の他端側に設けた。
【００１９】
図６は、上面カバー５の器具本体１０の上面１０ａに対する接続部分を拡大した部分拡大図である。上述したように、上面カバー５の開方向への回動を規制した状態（図５の状態）で、そのままでは、上面カバー５は閉方向には回動可能な状態となっている。このように、上面カバー５が閉方向に回動可能な状態のまま作業員がメンテナンス作業を行うと、作業中に上面カバー５が不用意に閉じてしまう可能性があり、作業性が低下するばかりか作業の安全性が損なわれる可能性がある。
【００２０】
このため、本実施形態では、所定角度まで開いた上面カバー５が不用意に閉方向へ回動してしまうことを防止するための構成を設けた。すなわち、本実施形態の道路灯１００は、器具本体１０の上面１０ａに沿ってスライド可能に設けたストッパ１（係止部材）を備えている。図６は、所定角度まで開いた上面カバー５の閉方向への回動をストッパ１によって禁止した状態を示す。この状態で、上面カバー５の当接面５ａは突起７の上端からわずかに離間している。
【００２１】
ストッパ１は、図４に示す位置（第１位置）に配置された状態で、所定角度の開位置から閉方向に閉じようとする上面カバー５の係止壁５ｂ（接触部位）に当接し、上面カバー５の閉方向への回動を禁止する。また、ストッパ１は、図３に示す位置（第２位置）に配置された状態で、回動途中の上面カバー５に干渉しない位置に退避され、上面カバー５の閉方向への回動を許す。ストッパ１は、図３に示す位置に配置された状態で、上面カバー５によって覆うことのできる位置に設けられている。
【００２２】
図３および図４に示すように、器具本体１０の上面１０ａには、器具本体１０の長手方向に沿ってストッパ１をスライド自在に保持する一対のスライドレール８ａ、８ｂが一体に突設されている。２本のスライドレール８ａ、８ｂは、互いに平行に延び、両者の間にストッパ１をスライド可能に保持している。また、２本のスライドレール８ａ、８ｂの間には、ストッパ１の後述するスライド溝１ａにスライド自在に係合するスライド突起９が突設されている。
【００２３】
ストッパ１は、例えば、１枚の矩形帯状の金属板を形状加工して形成される。ストッパ１は、上述した２本のスライドレール８ａ、８ｂに挟まれて器具本体１０の上面１０ａに対向するスライド部分１ｂを有し、このスライド部分１ｂに上述したスライド溝１ａを有する。また、ストッパ１は、このスライド部分１ｂの一端に連続して断面Ｕ字状に折り曲げた係止部分１ｃを有する。
【００２４】
図３に示すように、上面カバー５を所定角度まで開いた後、ストッパ１を図示左方向へスライドさせ、図４に示す状態に配置すると、ストッパ１の係止部分１ｃの上面１ｄに上面カバー５の係止壁５ｂが対向する。上面カバー５の当接面５ａを突起７の上端に当接させて上面カバー５を所定角度まで開いた状態で、上面カバー５の係止壁５ｂと器具本体１０の上面１０ａとの間の隙間は、器具本体１０の上面１０ａからストッパ１の係止部分１ｃの上面１ｄまでの高さよりわずかに大きい。このため、ストッパ１をこの隙間に挿通した状態では上面カバー５の係止壁５ｂはストッパ１の係止部分１ｃの上面１ｄからわずかに離間した状態となる。
【００２５】
ストッパ１を図４に示す位置に配置した後、上面カバー５をわずかに閉方向へ回動させると、上面カバー５の係止壁５ｂがストッパ１の係止部分１ｃの上面１ｄに接触し、上面カバー５が図６に示す状態で係止される。この状態でメンテナンス作業を行うことで、作業途中で上面カバー５が不用意に閉じてしまう不具合を確実に防止でき、作業性を向上させることができ、安全性を確保することができる。
【００２６】
図６の状態からストッパ１による係止状態を解除する場合、上面カバー５を僅かに開方向へ回動させて、ストッパ１の係止部分１ｃの上面１ｄから上面カバー５の係止壁５ｂを離間させ、当接面５ａを突起７の上端に当接させる。この状態で、ストッパ１を図４の位置から図３の位置へスライドさせる。図３の位置にストッパ１を移動させることで、上面カバー５の移動経路からストッパ１を退避させることができ、上面カバー５の閉方向への回動が可能となる。
【００２７】
本実施形態では、ストッパ１の係止部分１ｃの幅（器具本体１０の長手方向と直交する方向の長さ）は、上面カバー５の係止壁５ｂの幅と略同等に設計されている。しかし、ストッパ１の係止部分１ｃの幅を上面カバー５の係止壁５ｂの幅より大きくしても良い。これにより、ストッパ１の係止部分１ｃの機械強度を十分に高めることができ、ストッパ１の破損を防止でき、装置の信頼性を高めることができる。
【００２８】
次に、上述した道路灯１００の設置手順について説明する。  
道路灯１００の支柱２は予め道路に沿った所定位置に設置されており、この支柱２の上端に器具本体１０を取り付ける。なお、器具本体１０にはヒンジ６を介して上面カバー５が回動可能に取り付けられている。また、器具本体１０の凹所１２には、予め、アダプタ３が締結固定されているものとする。
【００２９】
まず、作業員は、アダプタ３を備えた器具本体１０を支柱２の上端まで持ち上げて、支柱２の上端をアダプタ３に嵌合する。このとき、作業に先立って、作業員は、上面カバー５を開いてストッパ１を図４の位置にスライドし、上面カバー５を開位置に固定する。この状態で、作業員は、アダプタ３の外側から複数本のネジを挿通し、支柱２の上端にアダプタ３を締結固定する。これにより、器具本体１０が支柱２の上端に固定される。
【００３０】
この後、作業員は、支柱２の中を通って配線されたケーブルをコネクタユニット４に固定し、器具本体１０側のケーブルをコネクタユニット４に固定する。そして、作業員は、ストッパ１を図４の位置から図３の位置へスライドさせ、上面カバー５を器具本体１０の上面１０ａに閉じ、コネクタユニット４とともに支柱２の上端を覆う。最後に、作業員は、複数本のネジを用いて上面カバー５を器具本体１０の上面１０ａに締結固定する。
【００３１】
以上のように、本実施形態によると、道路灯１００の器具本体１０を支柱２の上端に取り付ける際に、上面カバー５を開位置に確実に固定できるため、作業性を向上させることができ、安全性を高めることができる。器具本体１０のメンテナンスのため、器具本体１０を支柱２から取り外す場合にも、上面カバー５を開位置に固定でき、作業性および安全性を向上させることができる。
【００３２】
また、本実施形態によると、上面カバー５を開位置に固定するため、ストッパ１をスライドさせるだけの簡単な構成を設けただけであり、装置構成を簡略化でき装置の製造コストを低減できる。また、本実施形態によると、ストッパ１を２位置間でスライドさせるだけの作業により上面カバー５を開位置に確実に固定することができ、作業員による作業負担を低減でき、その分、道路灯１００の設置費用を安価にできる。
【００３３】
図７は、上面カバー５を開位置に固定する機構の変形例を示す側面図である。ここでは、上述した実施形態と同様に機能する構成要素には同一符号を付してその詳細な説明を省略する。
【００３４】
この変形例では、上述した実施形態より係止部分１ｃの長手方向の長さを長くしたストッパ１’を用いている。つまり、このストッパ１’は、所定角度に開いた上面カバー５が開方向に回動することを規制する機能、および上面カバー５が開位置から閉方向に回動することを禁止する機能を担う。
【００３５】
図７に示す位置にストッパ１’をスライドさせると、係止部分１ｃの上面１ｄに上面カバー５の当接面５ａ’が対向し、同時に、係止部分１ｃの上面１ｄに上面カバー５の係止壁５ｂが対向する。当接面５ａ’の突出高さは、開位置に開いた上面カバー５’と器具本体１０の上面１０ａとの間の隙間にストッパ１’の係止部分１ｃを挿入したとき、係止部分１ｃの上面１ｄと上面カバー５’との間にわずかな隙間が形成されるように設計されている。
【００３６】
図７に示す状態から、上面カバー５が開方向へ回動しようとすると、当接面５ａ’がストッパ１の係止部分１ｃの上面１ｄに当接し、上面カバー５の開方向への回動を規制する。また、この状態で、上面カバー５が閉方向へ回動しようとすると、係止壁５ｂがストッパ１の係止部分１ｃの上面１ｄに当接し、上面カバー５の閉方向への回動を禁止制する。
【００３７】
上記の変形例によると、１つのストッパ１’により、開位置へ開いた上面カバー５’を固定でき、開方向および閉方向への回動を同時に阻止できるため、上述した実施形態の突起７を省略でき、その分、装置構成を簡略化できる。
【００３８】
上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態やその変形は、発明の範囲や要旨に含まれると同様に、特許請求の範囲に記載された発明とその均等の範囲に含まれるものである。
【符号の説明】
【００３９】
１…ストッパ、１ａ…スライド溝、１ｂ…スライド部分、１ｃ…係止部分、１ｄ…上面、２…支柱、３…アダプタ、４…コネクタユニット、４ａ…ネジ、５…上面カバー、５ａ…当接面、５ｂ…係止壁、６…ヒンジ、６ａ…回動軸、７…突起、８ａ、８ｂ…スライドレール、９…スライド突起、１０…器具本体、１０ａ…上面、１１…照明窓、１２…凹所、１００…道路灯。
【図１】
2017045526.tif 000003
【図２】
2017045526.tif 000004
【図３】
2017045526.tif 000005
【図４】
2017045526.tif 000006
【図５】
2017045526.tif 000007
【図６】
2017045526.tif 000008
【図７】
2017045526.tif 000009